(57)【要約】      （修正有）【課題】頻繁な取付け・取外しにも対応できる耐久性のある時計バンドのフック式時計取付部構造を提供する。【解決手段】時計バンド１の二つ折り部２に背板３ａと折返し筒部および舌片とを一連に有す板ばね３を挿着し形成するフック式の時計取付部４において、板ばね３に背板から折返し筒部を介して舌片に至る凸状の補強溝５ｃを設けた。頻繁に取付け、取外しをしても板ばねの形状変化が起こりにくく、初期のフック状に湾曲した形状を維持できる。【選択図】図２
0003187903.tif 000002
【実用新案登録請求の範囲】
【請求項１】
時計バンドの二つ折り部に背板と折返し筒部および舌片とを一連に有す板ばねを挿着し形成するフック式の時計取付部において、
板ばねに背板から折返し筒部を介して舌片に至る凸状又は凹状の補強溝を設けたことを特徴とする時計バンドのフック式時計取付部構造。
【請求項２】
背板と舌片を折返し筒部より離れるに従って漸次近接させるとともに、背板と舌片間に一方を短小とする段差を設け、且つ背板と舌片を折返し筒部の両端間幅より幅狭に形成したことを特徴とする請求項１記載の時計バンドのフック式時計取付部構造。
【請求項３】
舌片又は／及び背板の折返し筒部側の境界部分の内面にばね棒の外れを防止する外れ防止用突起を設けたことを特徴とする請求項１又は２記載の時計バンドのフック式時計取付部構造。
【請求項４】
舌片の先端に外開き傾斜を附したことを特徴とする請求項１から３のいずれかに記載の時計バンドのフック式時計取付部構造。
【請求項５】
折返し筒部と舌片との境界部分が角度をもつように折返し筒部に絞りをもたせたことを特徴とする請求項１から４のいずれかに記載の時計バンドのフック式時計取付部構造。
【請求項６】
請求項１から５のいずれかに記載の時計バンドのフック式時計取付部構造を備えたことを特徴とする腕時計。
【考案の詳細な説明】
【技術分野】
【０００１】
この考案は時計バンド、とくに皮革バンドのフック式時計取付部の構造に関するものである。 
【背景技術】
【０００２】
この種の時計バンドは本願出願人の提案した特許文献１乃至特許文献３がある。そして、この種の時計バンドの特徴は、誰でも簡単にワンタッチで取付け、取外しをすることができるという点にある（特許文献１明細書［００１０］を参照）。
【０００３】
また、特許文献２では、改良によって、以下のような効果を有することになった。
（１）板ばねの背板と舌片間に一方を短小とする段差を設けたので、時計取付けのためのばね棒は他方に一旦押し当ててから滑らせてゆく要領にてフック掛けが著しく容易となり、この結果無理な力が加わらないことにより挟まれ当接するバンド部分の疲労がなく傷まないこととなった。
（２）舌片の先端に外開き傾斜を附すことによってより円滑な挿入を可能とした。
（３）背板と舌片の幅長を折返し筒部の両端間幅長より幅狭としたので、弾発開閉の反複による折返し筒部の応力負担が著しく軽減して応力による折返し筒部の亀裂が生じないものとなった。
【０００４】
さらに、特許文献３では、改良によって、以下のような効果を有することになった。
（１）時計バンドの二つ折り部に背板と折返し筒部および舌片とを一連に有す板ばねを挿着し形成するフック式の時計取付部において、折返し筒部と舌片との境界部分が角度をもつように折返し筒部に絞りをもたせることで、板ばねの背板と舌片間に挿入されたばね棒が折返し筒部に確実に保持されるので、ばね棒に対する遊びを規制して、時計バンドの横ぶれが防止できる。従って、時計取付けの確実性及び安心感をより向上できた。
（２）舌片又は／及び背板に凹状に設けられた補強溝によって、舌片や背板の耐久性が向上して、ばね棒の着脱時にかかる応力によって生じる舌片、背板の変形を防止できた。
【先行技術文献】
【特許文献】
【０００５】
【特許文献１】実用新案登録第３０１８７６８号公報
【特許文献２】実用新案登録第３０２８１８７号公報
【特許文献３】実用新案登録第３０８９３４１号公報
【考案の概要】
【考案が解決しようとする課題】
【０００６】
この種の時計バンドは、誰でも簡単にワンタッチで取付け、取外しをすることができるために、頻繁に取付け・取外しが行われる場合もある。従って、この種の時計バンドには、このような使用態様に対応できるような耐久性も求められている。
【０００７】
そこで、本願出願人は、頻繁な取付け・取外しにも対応できる耐久性のある時計バンドを提供すべく、板ばねに更なる改良を加えて、進化した本願考案を完成するに至った。
【課題を解決するための手段】
【０００８】
本願考案の内容は、以下の通りである。
第１の考案は、時計バンドの二つ折り部に背板と折返し筒部および舌片とを一連に有す板ばねを挿着し形成するフック式の時計取付部において、板ばねに背板から折返し筒部を介して舌片に至る凸状又は凹状の補強溝を設けたことを特徴とする時計バンドのフック式時計取付部構造である。
第２の考案は、背板と舌片を折返し筒部より離れるに従って漸次近接させるとともに、背板と舌片間に一方を短小とする段差を設け、且つ背板と舌片を折返し筒部の両端間幅より幅狭に形成したことを特徴とする同時計バンドのフック式時計取付部構造である。
第３の考案は、舌片又は／及び背板の折返し筒部側の境界部分の内面にばね棒の外れを防止する外れ防止用突起を設けたことを特徴とする同時計バンドのフック式時計取付部構造である。
第４の考案は、舌片の先端に外開き傾斜を附したことを特徴とする同時計バンドのフック式時計取付部構造である。
第５の考案は、折返し筒部と舌片との境界部分が角度をもつように折返し筒部に絞りをもたせたことを特徴とする同時計バンドのフック式時計取付部構造である。
第６の考案は、第１から第５のいずれかの時計バンドのフック式時計取付部構造を備えたことを特徴とする腕時計である。
【考案の効果】
【０００９】
本願考案によれば、以下のような効果を有する。
（１）時計バンドの二つ折り部に背板と折返し筒部および舌片とを一連に有す板ばねを挿着し形成するフック式の時計取付部において、板ばねに背板から折返し筒部を介して舌片に至る凸状又は凹状の補強溝を設けたことで、板ばねの形状変化が起こりにくく、初期の形状（フック状に湾曲した形状）を維持できる。
（２）このため、腕時計本体のばね棒に対する保持力は変わらずに維持できるので、時計バンドの脱落を確実に防止できる。
（３）よって、頻繁な取付け・取外しに対応可能な時計バンドを提供できる。
【図面の簡単な説明】
【００１０】
【図１】本願考案の１組の皮革バンドを一方を時計ケース取付け前の裏面状態にて示す斜視図である。
【図２】同、時計ケース取付け状態を示す部分拡大側断面図である。
【図３】板ばねを示す上方からの斜視図である。
【図４】板ばねを示す下方からの斜視図である。
【考案を実施するための形態】
【００１１】
以下図面に基づいて本願考案の実施形態を説明する。
【００１２】
表皮１ａと裏皮１ｂにて形成する皮革バンド１の二つ折り部２内に背板３ａと折返し筒部３ｂおよび舌片３ｃとを一連に有す板ばね３を挿着して弾発開閉するフック式の時計取付部４を形成する。
【００１３】
そして、この板ばね３は、板ばね３の背板３ａと舌片３ｃ間は折返し筒部３ｂより離れるに従って漸次近接させる。それとともに舌片３ｃを短小とする段差端面３ｄ，３ｅを形成し、且つ舌片３ｃの先端面３ｅに僅かの外開き傾斜を附している。なお、折返し筒部３ｂと舌片３ｃとの境界部分３ｈが角度をもつように折返し筒部３ｂに絞りをもたせるようにしてもよい。
【００１４】
また、背板３ａと舌片３ｃは折返し筒部３ｂの両端との間で円曲縁３ｆ，３ｇを挟んで漸次先細とする幅狭形にて形成する。しかして皮革バンド１の折返し端片２ａは舌片３ｃを囲んで表皮１ａと裏皮１ｂが広く接着してほころびないものとなる。
【００１５】
皮革バンド１はフック式の時計取付部４を用いて時計ケース６をフック掛けして取付け取外しするのである。７はフック掛けするばね棒であり、８ａ，８ｂはばね棒７を保持する脚杆である。
【００１６】
舌片３ｃ端の背板３ａとの間の近接度合いを遠近調節することによりばね棒７の挿脱の力加減を調整することができることとなる。ここで、舌片３ｃの折返し筒部側の境界部分３ｈの内面３ｉに、ばね棒７の外れを防止する外れ防止用突起５ａを設けている。なお、背板３ａの折返し筒部側の境界部分の内面に外れ防止用突起５ａを設けてもよい。また、図示省略するが、背板３ａと舌片３ｃ間の段差端面３ｄ，３ｅは背板３ａ側を短小にして形成してもよい。
【００１７】
次に、図３及び図４に示すように、板ばね３に背板３ａから折返し筒部３ｂを介して舌片３ｃに至る凸状の補強溝５ｃを設けた。これまでの板ばねの場合、頻繁にばね棒を脱着させると、背板３ａの先端側（段差端面３ｄ側）と舌片３ｃの先端側（段差端面３ｅ側）の間が開き気味に形状変化し、いわゆるバカになってしまうおそれがあった。この場合、ばね棒に対する保持力は維持できずに、ばね棒が外れやすい状態になる。
【００１８】
しかしながら、板ばね３に補強溝５ｃを設けることで、板ばね３の形状変化が起こりにくく、初期の形状（フック状に湾曲した図２の形状）を維持できる。このため、時計ケース６のばね棒７に対する保持力は変わらずに維持できるので、時計バンドの脱落を確実に防止できる。すなわち、頻繁な取付け・取外しに対応可能な時計バンドを提供できることになるのである。なお、この補強溝５ｃは、図示の形状に限定されるものではない。また、凸状ではなく、凹状に設けてもよい。
【産業上の利用可能性】
【００１９】
以上、実施形態において皮革バンドについて説明してきたが、本願考案は二つ折り部を形成することのできる布製，合成樹脂製等の軟質バンドのすべてに適用することができるものである。また、板ばねの材質としては、金属製、樹脂製、その他ばね性を有する素材であればこれに使用できる。
【符号の説明】
【００２０】
１  皮革バンド
１ａ  表皮    １ｂ  裏皮
２  二つ折り部    ２ａ  折返し端片
３  板ばね    ３ａ  背板
３ｂ  折返し筒部    ３ｃ  舌片
３ｈ  折返し筒部３ｂと舌片３ｃとの境界部分
４  時計取付部
５ａ  外れ防止用突起    ５ｃ  補強溝
【図１】
0003187903.tif 000003
【図２】
0003187903.tif 000004
【図３】
0003187903.tif 000005
【図４】
0003187903.tif 000006